(57)【要約】【課題】強階層受信中に、弱階層用のチューナや復調処理部を間欠的に動作させて弱階層の受信状態を効率良く監視することで、消費電力を抑えながら強階層受信から弱階層受信へ切り替えを行うことができるデジタル放送受信装置等を提供する。【解決手段】本発明に係るデジタル放送受信装置は、デジタル放送信号により示される弱階層の信号品質を測定し、前記デジタル放送信号から弱階層信号及び強階層信号を取り出して復号し、自装置を利用する利用者の移動量及び移動速度を測定する。また、前記移動量及び／又は前記移動速度が所定の閾値以上の場合、前記信号品質が所定の品質を満たすか否かを判定し、前記信号品質が所定の品質を満たす場合、前記強階層信号の再生を中止して前記弱階層信号を再生する。【選択図】図５
2010141713.tif 000002
【特許請求の範囲】
【請求項１】
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置を利用する利用者の移動量及び移動速度を測定する位置測定部と、を備え、
前記信号品質測定部は、前記移動量及び／又は前記移動速度が所定の閾値以上の場合、前記信号品質が所定の品質を満たすか否かを判定し、
前記信号再生部は、前記信号品質が所定の品質を満たす場合、前記強階層信号の再生を中止して前記弱階層信号を再生する、
ことを特徴とするデジタル放送受信装置。
【請求項２】
前記信号品質測定部は、前記強階層信号が再生されている際に、前記信号品質が所定の品質を満たすか否かを判定する、
ことを特徴とする請求項１に記載のデジタル放送受信装置。
【請求項３】
タイマ時刻を計時するタイマ部と、をさらに備え、
前記位置測定部は、前記タイマ部が計時するタイマ時刻が所定の時刻になった場合、前記移動量及び前記移動速度の測定を開始する、
ことを特徴とする請求項１又は２に記載のデジタル放送受信装置。
【請求項４】
前記所定の時刻は、前記移動量及び／又は前記移動速度が大きければ大きいほど、小さく設定される、
ことを特徴とする請求項３に記載のデジタル放送受信装置。
【請求項５】
階層伝送により同一内容の番組が、ノイズ耐性に弱い弱階層とノイズ耐性に強い強階層とで放送されているデジタル放送信号を受信するデジタル放送受信装置であって、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号及び前記強階層信号により示される信号品質を測定する信号品質測定部と、
前記弱階層信号と前記強階層信号とのいずれかを再生する信号再生部と、
自装置を利用する利用者の移動量及び移動速度を測定する位置測定部と、を備え、
前記信号品質測定部は、前記強階層信号が再生されている際に、前記強階層信号により示される信号品質が所定の強階層品質を満たすか否かを判定し、
前記位置測定部は、前記強階層信号により示される信号品質が前記所定の強階層品質を満たすと判定された場合、前記移動量及び／又は前記移動速度が所定の閾値以上であるか否かを判定し、
前記信号品質測定部は、前記移動量及び／又は前記移動速度が前記所定の閾値以上である場合、前記弱階層信号により示される信号品質が所定の弱階層品質を満たすか否かを判定し、
前記信号再生部は、前記弱階層信号により示される信号品質が前記所定の弱階層品質を満たす場合、前記強階層信号の再生を中止して前記弱階層信号を再生する、
ことを特徴とするデジタル放送受信装置。
【請求項６】
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置の位置を示す位置情報を測定する位置測定部と、
前記位置情報と、当該位置において前記弱階層信号により示される信号品質が所定の品質を満たす回数及び／又は割合と、を対応付けて記憶する記憶部と、を備え、
前記信号品質測定部は、前記強階層信号が再生されている際に、前記自装置の位置に対応付けられる前記回数及び／又は前記割合が所定の閾値以上か否かを判定し、さらに、前記弱階層信号により示される信号品質が所定の品質を満たすか否かを判定し、
前記信号再生部は、前記弱階層信号により示される信号品質が前記所定の品質を満たす場合、前記強階層信号の再生を中止して前記弱階層信号を再生する、
ことを特徴とするデジタル放送受信装置。
【請求項７】
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置の位置が屋外にあるか否かを判定する屋外判定部と、を備え、
前記信号品質測定部は、前記強階層信号が再生されている際に、前記自装置の位置が屋外にあると判定された場合、前記弱階層信号により示される信号品質が所定の品質を満たすか否かを判定し、
前記信号再生部は、前記弱階層信号により示される信号品質が前記所定の品質を満たす場合、前記強階層信号の再生を中止して前記弱階層信号を再生する、
ことを特徴とするデジタル放送受信装置。
【請求項８】
前記自装置の位置を示す位置情報を測定する前記位置測定部と、
前記自装置の位置及び屋内外の位置が示される地図を記憶する地図記憶部と、
前記自装置の位置と前記屋内外の位置とを比較して、当該自装置の位置が屋外にあるか否かを判定する屋外判定部と、をさらに備える、
ことを特徴とする請求項６に記載のデジタル放送受信装置。
【請求項９】
階層伝送により同一内容の番組が、ノイズ耐性に弱い弱階層とノイズ耐性に強い強階層とで放送されているデジタル放送信号を受信するデジタル放送受信装置であって、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
複数の基地局と無線通信を行う無線通信部と、
前記無線通信により示される通信品質を測定する通信品質測定部と、を備え、
前記信号品質測定部は、前記強階層信号が再生されている際に、前記無線通信部が無線通信を行う基地局が変更された、または、前記通信品質が所定の通信品質を満たさない場合、前記弱階層信号により示される信号品質が所定の品質を満たすか否かを判定し、
前記信号再生部は、前記弱階層信号により示される信号品質が前記所定の品質を満たす場合、前記強階層信号の再生を中止して前記弱階層信号を再生する、
ことを特徴とするデジタル放送受信装置。
【請求項１０】
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置を利用する利用者の移動量及び移動速度を測定する位置測定部と、を備え、
前記信号再生部は、前記移動量及び／又は前記移動速度が所定の閾値以上の場合、前記弱階層信号の再生を中止して前記強階層信号を再生する、
ことを特徴とするデジタル放送受信装置。
【請求項１１】
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置を利用する利用者の移動量及び移動速度を測定する位置測定工程と、を実行させ、
前記信号品質測定工程では、前記移動量及び／又は前記移動速度が所定の閾値以上の場合、前記信号品質が所定の品質を満たすか否かを判定し、
前記信号再生工程では、前記信号品質が所定の品質を満たす場合、前記強階層信号の再生を中止して前記弱階層信号を再生させる、
ことを特徴とするプログラム。
【請求項１２】
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号及び前記強階層信号により示される信号品質を測定する信号品質測定工程と、
前記弱階層信号と前記強階層信号とのいずれかを再生する信号再生工程と、
自装置を利用する利用者の移動量及び移動速度を測定する位置測定工程と、を実行させ、
前記信号品質測定工程では、前記強階層信号が再生されている際に、前記強階層信号により示される信号品質が所定の強階層品質を満たすか否か判定し、
前記位置測定工程では、前記強階層信号により示される信号品質が前記所定の強階層品質を満たすと判定された場合、前記移動量及び／又は前記移動速度が所定の閾値以上であるか否かを判定し、
前記信号品質測定工程では、前記移動量及び／又は前記移動速度が前記所定の閾値以上である場合、前記弱階層信号により示される信号品質が所定の弱階層品質を満たすか否かを判定し、
前記信号再生工程では、前記弱階層信号により示される信号品質が前記所定の弱階層品質を満たす場合、前記強階層信号の再生を中止して前記弱階層信号を再生させる、
ことを特徴とするプログラム。
【請求項１３】
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置の位置を示す位置情報を測定する位置測定工程と、
前記位置情報と、当該位置において前記弱階層信号により示される信号品質が所定の品質を満たす回数及び／又は割合と、を対応付けて記憶する記憶工程と、を実行させ、
前記信号品質測定工程では、前記強階層信号が再生されている際に、前記自装置の位置に対応付けられる前記回数及び／又は前記割合が所定の閾値以上か否かを判定し、さらに、前記弱階層信号により示される信号品質が所定の品質を満たすか否かを判定し、
前記信号再生工程では、前記弱階層信号により示される信号品質が前記所定の品質を満たす場合、前記強階層信号の再生を中止して前記弱階層信号を再生させる、
ことを特徴とするプログラム。
【請求項１４】
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置の位置が屋外にあるか否かを判定する屋外判定工程と、を実行させ、
前記信号品質測定工程では、前記強階層信号が再生されている際に、前記自装置の位置が屋外にあると判定された場合、前記弱階層信号により示される信号品質が所定の品質を満たすか否かを判定し、
前記信号再生工程では、前記弱階層信号により示される信号品質が前記所定の品質を満たす場合、前記強階層信号の再生を中止して前記弱階層信号を再生させる、
ことを特徴とするプログラム。
【請求項１５】
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
複数の基地局と無線通信を行う無線通信工程と、
前記無線通信により示される通信品質を測定する通信品質測定工程と、を実行させ、
前記信号品質測定工程では、前記強階層信号が再生されている際に、前記無線通信部が無線通信を行う基地局が変更された、または、前記通信品質が所定の通信品質を満たさない場合、前記弱階層信号により示される信号品質が所定の品質を満たすか否かを判定し、
前記信号再生工程では、前記弱階層信号により示される信号品質が前記所定の品質を満たす場合、前記強階層信号の再生を中止して前記弱階層信号を再生させる、
ことを特徴とするプログラム。
【請求項１６】
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置を利用する利用者の移動量及び移動速度を測定する位置測定工程と、を実行させ、
前記信号再生工程では、前記移動量及び／又は前記移動速度が所定の閾値以上の場合、前記弱階層信号の再生を中止して前記強階層信号を再生させる、
ことを特徴とするプログラム。
【発明の詳細な説明】
【技術分野】
【０００１】
本発明は、デジタル放送受信装置に関し、特に、階層伝送により、同一内容の番組が弱階層と強階層で放送されているデジタル放送を受信するデジタル放送受信装置及びプログラムに関する。
【背景技術】
【０００２】
日本の地上デジタル放送は、伝送方式としてＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）方式を採用している。ＩＳＤＢ−Ｔ方式では、１チャンネルの伝送帯域を１３個のセグメントに分割し、それぞれのセグメントを単位として伝送パラメータを変更することが可能である。また、最大３階層までの階層伝送を行うことができる。
【０００３】
現在、この階層伝送を利用して、固定受信端末向け放送（以下、弱階層という）と携帯受信端末向け放送（以下、強階層という）が行われており、弱階層と強階層は、同一内容の番組を放送するサイマル放送が大部分を占める。ここで、弱階層は、伝送容量が大きく、高品質コンテンツ（高画質、高音質）であるが、ノイズ耐性が比較的弱く、一方、強階層は、伝送容量が小さく低品質コンテンツ（低画質、低音質）であるが、ノイズ耐性が比較的強いという特徴がある。
【０００４】
ところで、地上デジタル放送を車載装置や携帯端末などの移動体で受信する場合、移動に応じて放送電波の受信状態は時々刻々と変化する。このため、階層伝送に対応したデジタル放送受信装置において、例えば、デジタル変調された信号を復調する際のエラーレートや電界強度などを階層毎に監視し、弱階層を受信時に弱階層の受信状態が悪化した時には、ノイズ耐性の比較的強い強階層に切り替えて受信を継続し、また、強階層を受信時に弱階層の受信状態が改善した時には、弱階層に切り替えて受信を行う方法が知られている（例えば、特許文献１参照）。
【０００５】
【特許文献１】特開２００５−２７７８７３号公報
【発明の開示】
【発明が解決しようとする課題】
【０００６】
しかしながら、特許文献１に開示されている構成では、強階層受信から弱階層受信へ切り替えるためには、強階層受信中に、常に弱階層の受信状態を監視するために弱階層用のチューナや復調処理部を起動しておく必要があり、消費電力が大きくなるという問題があった。
【０００７】
本発明は、上記問題に鑑みてなされたものであり、強階層受信中に、弱階層用のチューナや復調処理部を間欠的に動作させて弱階層の受信状態を効率良く監視することで、消費電力を抑えながら強階層受信から弱階層受信へ切り替えを行うことができるデジタル放送受信装置、及び、プログラムを提供することを目的とする。
【課題を解決するための手段】
【０００８】
上記の目的を達成するため、本発明の第１の観点に係るデジタル放送受信装置は、
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置を利用する利用者の移動量及び移動速度を測定する位置測定部と、を備え、
前記信号品質測定部は、前記移動量及び／又は前記移動速度が所定の閾値以上の場合、前記信号品質が所定の品質を満たすか否かを判定し、
前記信号再生部は、前記信号品質が所定の品質を満たす場合、前記強階層信号の再生を中止して前記弱階層信号を再生する、
ことを特徴とする。
【０００９】
前記信号品質測定部は、前記強階層信号が再生されている際に、前記信号品質が所定の品質を満たすか否かを判定する、ことも可能である。
【００１０】
タイマ時刻を計時するタイマ部と、をさらに備え、
前記位置測定部は、前記タイマ部が計時するタイマ時刻が所定の時刻になった場合、前記移動量及び前記移動速度の測定を開始する、ことも可能である。
【００１１】
前記所定の時刻は、前記移動量及び／又は前記移動速度が大きければ大きいほど、小さく設定される、ことも可能である。
【００１２】
本発明の他の観点に係るデジタル放送受信装置は、
階層伝送により同一内容の番組が、ノイズ耐性に弱い弱階層とノイズ耐性に強い強階層とで放送されているデジタル放送信号を受信するデジタル放送受信装置であって、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号及び前記強階層信号により示される信号品質を測定する信号品質測定部と、
前記弱階層信号と前記強階層信号とのいずれかを再生する信号再生部と、
自装置を利用する利用者の移動量及び移動速度を測定する位置測定部と、を備え、
前記信号品質測定部は、前記強階層信号が再生されている際に、前記強階層信号により示される信号品質が所定の強階層品質を満たすか否かを判定し、
前記位置測定部は、前記強階層信号により示される信号品質が前記所定の強階層品質を満たすと判定された場合、前記移動量及び／又は前記移動速度が所定の閾値以上であるか否かを判定し、
前記信号品質測定部は、前記移動量及び／又は前記移動速度が前記所定の閾値以上である場合、前記弱階層信号により示される信号品質が所定の弱階層品質を満たすか否かを判定し、
前記信号再生部は、前記弱階層信号により示される信号品質が前記所定の弱階層品質を満たす場合、前記強階層信号の再生を中止して前記弱階層信号を再生する、
ことを特徴とする。
【００１３】
本発明の他の観点に係るデジタル放送受信装置は、
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置の位置を示す位置情報を測定する位置測定部と、
前記位置情報と、当該位置において前記弱階層信号により示される信号品質が所定の品質を満たす回数及び／又は割合と、を対応付けて記憶する記憶部と、を備え、
前記信号品質測定部は、前記強階層信号が再生されている際に、前記自装置の位置に対応付けられる前記回数及び／又は前記割合が所定の閾値以上か否かを判定し、さらに、前記弱階層信号により示される信号品質が所定の品質を満たすか否かを判定し、
前記信号再生部は、前記弱階層信号により示される信号品質が前記所定の品質を満たす場合、前記強階層信号の再生を中止して前記弱階層信号を再生する、
ことを特徴とする。
【００１４】
本発明の他の観点に係るデジタル放送受信装置は、
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置の位置が屋外にあるか否かを判定する屋外判定部と、を備え、
前記信号品質測定部は、前記強階層信号が再生されている際に、前記自装置の位置が屋外にあると判定された場合、前記弱階層信号により示される信号品質が所定の品質を満たすか否かを判定し、
前記信号再生部は、前記弱階層信号により示される信号品質が前記所定の品質を満たす場合、前記強階層信号の再生を中止して前記弱階層信号を再生する、
ことを特徴とする。
【００１５】
前記自装置の位置を示す位置情報を測定する前記位置測定部と、
前記自装置の位置及び屋内外の位置が示される地図を記憶する地図記憶部と、
前記自装置の位置と前記屋内外の位置とを比較して、当該自装置の位置が屋外にあるか否かを判定する屋外判定部と、をさらに備える、ことも可能である。
【００１６】
本発明の他の観点に係るデジタル放送受信装置は、
階層伝送により同一内容の番組が、ノイズ耐性に弱い弱階層とノイズ耐性に強い強階層とで放送されているデジタル放送信号を受信するデジタル放送受信装置であって、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
複数の基地局と無線通信を行う無線通信部と、
前記無線通信により示される通信品質を測定する通信品質測定部と、を備え、
前記信号品質測定部は、前記強階層信号が再生されている際に、前記無線通信部が無線通信を行う基地局が変更された、または、前記通信品質が所定の通信品質を満たさない場合、前記弱階層信号により示される信号品質が所定の品質を満たすか否かを判定し、
前記信号再生部は、前記弱階層信号により示される信号品質が前記所定の品質を満たす場合、前記強階層信号の再生を中止して前記弱階層信号を再生させる、
ことを特徴とする。
【００１７】
本発明の他の観点に係るデジタル放送受信装置は、
階層伝送により同一内容の番組が、ノイズ耐性に弱い弱階層とノイズ耐性に強い強階層とで放送されているデジタル放送信号を受信するデジタル放送受信装置であって、
受信された前記デジタル放送信号により示される弱階層の信号品質を測定する信号品質測定部と、
前記デジタル放送信号から前記弱階層を構成する弱階層信号を取り出して、当該弱階層信号を復号する弱階層信号復号部と、
前記デジタル放送信号から前記強階層を構成する強階層信号を取り出して、当該強階層信号を復号する強階層信号復号部と、
復号された前記弱階層信号と前記強階層信号とのいずれかを再生する信号再生部と、
自装置を利用する利用者の移動量及び移動速度を測定する位置測定部と、を備え、
前記信号再生部は、前記移動量及び／又は前記移動速度が所定の閾値以上の場合、前記弱階層信号の再生を中止して前記強階層信号を再生させる、
ことを特徴とする。
【００１８】
本発明の他の観点に係るプログラムは、
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置を利用する利用者の移動量及び移動速度を測定する位置測定工程と、を実行させ、
前記信号品質測定工程では、前記移動量及び／又は前記移動速度が所定の閾値以上の場合、前記信号品質が所定の品質を満たすか否かを判定し、
前記信号再生工程では、前記信号品質が所定の品質を満たす場合、前記強階層信号の再生を中止して前記弱階層信号を再生させる、
ことを特徴とする。
【００１９】
本発明の他の観点に係るプログラムは、
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号及び前記強階層信号により示される信号品質を測定する信号品質測定工程と、
前記弱階層信号と前記強階層信号とのいずれかを再生する信号再生工程と、
自装置を利用する利用者の移動量及び移動速度を測定する位置測定工程と、を実行させ、
前記信号品質測定工程では、前記強階層信号が再生されている際に、前記強階層信号により示される信号品質が所定の強階層品質を満たすか否か判定し、
前記位置測定工程では、前記強階層信号により示される信号品質が前記所定の強階層品質を満たすと判定された場合、前記移動量及び／又は前記移動速度が所定の閾値以上であるか否かを判定し、
前記信号品質測定工程では、前記移動量及び／又は前記移動速度が前記所定の閾値以上である場合、前記弱階層信号により示される信号品質が所定の弱階層品質を満たすか否かを判定し、
前記信号再生工程では、前記弱階層信号により示される信号品質が前記所定の弱階層品質を満たす場合、前記強階層信号の再生を中止して前記弱階層信号を再生させる、
ことを特徴とする。
【００２０】
本発明の他の観点に係るプログラムは、
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置の位置を示す位置情報を測定する位置測定工程と、
前記位置情報と、当該位置において前記弱階層信号により示される信号品質が所定の品質を満たす回数及び／又は割合と、を対応付けて記憶する記憶工程と、を実行させ、
前記信号品質測定工程では、前記強階層信号が再生されている際に、前記自装置の位置に対応付けられる前記回数及び／又は前記割合が所定の閾値以上か否かを判定し、さらに、前記弱階層信号により示される信号品質が所定の品質を満たすか否かを判定し、
前記信号再生工程では、前記弱階層信号により示される信号品質が前記所定の品質を満たす場合、前記強階層信号の再生を中止して前記弱階層信号を再生させる、
ことを特徴とする。
【００２１】
本発明の他の観点に係るプログラムは、
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置の位置が屋外にあるか否かを判定する屋外判定工程と、を実行させ、
前記信号品質測定工程では、前記強階層信号が再生されている際に、前記自装置の位置が屋外にあると判定された場合、前記弱階層信号により示される信号品質が所定の品質を満たすか否かを判定し、
前記信号再生工程では、前記弱階層信号により示される信号品質が前記所定の品質を満たす場合、前記強階層信号の再生を中止して前記弱階層信号を再生させる、
ことを特徴とする。
【００２２】
本発明の他の観点に係るプログラムは、
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
複数の基地局と無線通信を行う無線通信工程と、
前記無線通信により示される通信品質を測定する通信品質測定工程と、を実行させ、
前記信号品質測定工程では、前記強階層信号が再生されている際に、前記無線通信部が無線通信を行う基地局が変更された、または、前記通信品質が所定の通信品質を満たさない場合、前記弱階層信号により示される信号品質が所定の品質を満たすか否かを判定し、
前記信号再生工程では、前記弱階層信号により示される信号品質が前記所定の品質を満たす場合、前記強階層信号の再生を中止して前記弱階層信号を再生させる、
ことを特徴とする。
【００２３】
本発明の他の観点に係るプログラムは、
階層伝送により同一内容の番組が、ノイズ耐性に弱い弱階層とノイズ耐性に強い強階層とで放送されているデジタル放送信号を受信するコンピュータにて実行されるプログラムであって、
前記コンピュータに、
受信された前記デジタル放送信号により示される弱階層の信号品質を測定する信号品質測定工程と、
前記デジタル放送信号から前記弱階層を構成する弱階層信号を取り出して、当該弱階層信号を復号する弱階層信号復号工程と、
前記デジタル放送信号から前記強階層を構成する強階層信号を取り出して、当該強階層信号を復号する強階層信号復号工程と、
復号された前記弱階層信号と前記強階層信号とのいずれかを再生する信号再生工程と、
自装置を利用する利用者の移動量及び移動速度を測定する位置測定工程と、を実行させ、
前記信号再生工程では、前記移動量及び／又は前記移動速度が所定の閾値以上の場合、前記弱階層信号の再生を中止して前記強階層信号を再生させる、
ことを特徴とする。
【発明の効果】
【００２４】
本発明によれば、強階層受信中に弱階層受信可能エリアに移動した時に、消費電力を抑えながら強階層受信から弱階層受信へ切り替えることができる。
【発明を実施するための最良の形態】
【００２５】
（実施形態１）
以下では、本発明のデジタル放送受信装置の実施形態の一つについて説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００２６】
まず、本発明の実施の形態に係るデジタル放送受信装置が実現される典型的な携帯電話端末１の概要構成を示す図１を参照して説明する。本実施形態は、デジタル放送受信装置を、デジタル放送受信機能を持つ携帯電話端末１に適用した例である。
【００２７】
（携帯電話端末の基本構成）
図１は、本発明の実施形態１に係る携帯電話端末１の機能構成図である。携帯電話端末１は、制御部１１、記憶部１２、操作部１３、表示部１４、ワンセグチューナ部１５、ワンセグデコード部１６、フルセグチューナ部１７、デスクランブル部１８、フルセグデコード部１９、音声出力部２０、音声入力部２１、通信部２２、位置情報取得部２３、タイマ部２４、バス２５を備える。
【００２８】
制御部１１は、ＣＰＵ（Central Processing Unit）、マイクロプロセッサユニット等から構成され、後述する記憶部１２に格納された動作プログラムに従って、携帯電話端末１の全体的な動作を制御する。例えば、受信するデジタル放送のチャンネルの変更や、受信したデジタル放送のコンテンツの再生を制御する。また、制御部１１は、各種のデータ（例えば、映像、字幕文、データ放送等）を、表示部１４に表示させる。
【００２９】
記憶部１２は、各種のデータを記憶する。例えば、記憶部１２は、制御部１１の動作制御用プログラムを記憶する。記憶部１２は、携帯電話端末１に内蔵されるメモリ、取り外し可能な外部メモリ、のいずれから構成されても良い。
【００３０】
操作部１３は、キーボード、カーソルキー、テンキー等の各種のキー若しくはボタンを備え、ユーザからの操作を受け付け、操作信号を制御部１１に入力する。
【００３１】
表示部１４は、ドットマトリクスタイプのＬＣＤ（Liquid Crystal Display）パネル等の表示パネルと、ドライバ回路等から構成され、制御部１１の制御下にて任意のデータ（例えば、映像、字幕、データ放送等）を表示する。
【００３２】
ワンセグチューナ部１５は、アンテナを介して受信したワンセグ放送のコンテンツを復調し、復調信号をワンセグデコード部１６に出力する。
【００３３】
ワンセグチューナ部１５の詳細な構成を図２に示す。ワンセグチューナ部１５は、アンテナ１５０、電界強度測定器１５１、受信機１５２、復調器１５３、ＢＥＲ測定器１５４、電界強度出力線１５５、ＢＥＲ出力線１５６、ＴＳ出力線１５７などから構成される。
【００３４】
アンテナ１５０はデジタル放送が受信可能な、例えば、ＵＨＦ帯やＶＨＦ帯の電波を受信するために必要な形状をしている。
【００３５】
電界強度測定器１５１は、デジタル放送を受信している状態での電界強度値を求め、電界強度出力線１５５を介して制御部１１に出力する。
【００３６】
受信機１５２は、アンテナ１５０から入力された信号を、ＲＦ信号として後段の復調器１５３に出力する。
【００３７】
復調器１５３は、受信機１５２から入力された信号を復調してトランスポートストリーム（以下、ＴＳという）データを出力する。さらに、後段のＢＥＲ測定器１５４によって受信信号のビット誤り率（ＢＥＲ；Bit Error Rate）値が測定された後、ＴＳ出力線１５７からＴＳが出力される。また、測定されたＢＥＲ値は、ＢＥＲ出力線１５６を介して制御部１１に出力される。
【００３８】
ＢＥＲ測定器１５４は、復調器１５３の出力である復号ビット列から、受信信号のＢＥＲを逐次測定する。
【００３９】
ワンセグデコード部１６は、ワンセグチューナ部１５が出力したコンテンツをデコードし、出力する。映像デコーダ、音声デコーダを含む。
【００４０】
フルセグチューナ部１７は、アンテナを介して受信したフルセグ放送のコンテンツを復調し、復調信号を後述するデスクランブル部１８に出力する。
なお、フルセグチューナ部１７の詳細な構成は、ワンセグチューナ部１５と同様であるため各部の説明は省略する。また、ワンセグチューナ部１５とフルセグチューナ部１７とが一つのモジュールとして構成されている場合も考えられる。
【００４１】
デスクランブル部１８では、フルセグチューナ部１７が出力したスクランブルのかかったコンテンツの暗号を解き、データを平文にしてフルセグデコード部１９に出力する。
【００４２】
フルセグデコード部１９は、デスクランブル部１８が出力した平文コンテンツをデコードし、出力する。映像デコーダ、音声デコーダを含む。
【００４３】
音声出力部２０は、スピーカ、ＤＡＣ（Digital Analog Converter）等を備え、例えば、制御部１１が再生したコンテンツの音声信号にＤＡ変換を施し、スピーカにより放音する。
【００４４】
音声入力部２１は、マイク等を備え、通話時等に、音声信号を収集し、通信部２２に供給する。
【００４５】
通信部２２は、無線通信基地局を介して、通話音声、各種のデータ、等を送受信する。
【００４６】
位置情報取得部２３は、携帯電話端末１の現在位置情報を取得するもので、例えば、ＧＰＳ装置や、加速度センサ、電子コンパス等で構成される。
【００４７】
タイマ部２４は、マイクロプロセッサユニットなどに付属した機構であり、一定の時間間隔で割り込みを発生させる。制御部１１が割り込みを発生させる時間間隔を設定できる。
【００４８】
バス２５は、各部間で相互にデータを伝送する。
【００４９】
電源部（図示せず）は、バッテリを備え、当該バッテリは、携帯電話端末１に電力を供給する。
【００５０】
（切り替え処理の概要）
次に、フルセグ放送をワンセグ放送に切り替える処理について図３を用いて説明する。
【００５１】
フルセグ放送を受信して視聴している際に、移動等により受信状態が悪化すると、映像にブロックノイズが発生し、それ以上快適な視聴を続けられなくなる場合がある。そのような場合に、同じチャンネルのワンセグ放送に切り替えて表示することにより、ユーザは番組を継続して視聴でき、使い勝手が向上する。このように制御するには、フルセグ放送の受信中に、例えば、受信電界強度やＢＥＲ値を取得し、予め定められた閾値よりも大きいか否かを判定する必要がある。そして、もし閾値よりも小さくなった場合は、ワンセグ放送に切り替えて表示を行う。
【００５２】
図３は、フルセグチューナ部１７のＢＥＲ測定器１５４が取得したＢＥＲ値の時間変化をプロットした図を示している。ここで、閾値１４０は、これ以上ＢＥＲ値が大きい場合にフルセグ放送受信からワンセグ放送受信に切り替える値を示す。
【００５３】
まず、時刻ｔ１で、取得したＢＥＲ値が閾値１４０を超えると、ワンセグ放送への切り替え処理を行う。具体的には、制御部１１は、まず、フルセグチューナ部１７の電源をＯＦＦにする。そして、制御部１１は、ワンセグチューナ部１５の電源をＯＮにして起動し、ワンセグチューナ部１５が出力するＴＳをワンセグデコード部１６に入力する。入力されたＴＳをワンセグデコード部１６で復号しＹＵＶ（輝度信号（Ｙ）と、輝度信号と青色成分の差（Ｕ）、輝度信号と赤色成分の差（Ｖ））データに変換し、表示部１４に表示する。
【００５４】
また、時刻ｔ２で閾値１４０を下回ると、フルセグ放送への切り替え処理を行う。具体的には、ワンセグ放送への切り替え処理と同様の処理を行う。制御部１１は、まず、ワンセグチューナ部１５の電源をＯＦＦにする。そして、制御部１１は、フルセグチューナ部１７の電源をＯＮにして起動し、フルセグチューナ部１７が出力するＴＳをデスクランブル処理及びデコード処理を行い、表示部１４に表示する。このように、フルセグ放送のＢＥＲ値を用いて、ワンセグ放送とフルセグ放送との切り替え処理を行うことができる。
【００５５】
同様に、時刻ｔ３及びｔ４においても、閾値１４０が判定されワンセグ放送とフルセグ放送との切り替え処理が行われる。
【００５６】
ここで、フルセグ放送のＢＥＲ値や受信電界強度を用いて切り替え判定処理を行う場合、常にフルセグチューナ部１７の電源を入れておくと消費電力が大きくなってしまう。一般的に、フルセグチューナ部１７の消費電力はワンセグチューナ部１５のそれに比べて大きい。これは、フルセグ放送はワンセグ放送の約１３倍の周波数帯域を使用していることや、ＴＳのビットレートが高く処理するデータ量が多いことなどが理由として挙げられる。
【００５７】
そのため、本発明では、常にフルセグチューナ部１７の電源を入れておくのではなく、必要に応じてフルセグチューナ部１７の電源を入れることで、消費電力を抑制するというものである。フルセグチューナ部１７の電源を入れるタイミングについては、後述する。
【００５８】
（フルセグ映像出力処理）
次に、フルセグ放送の映像出力処理について図４を用いて説明する。
【００５９】
まず、フルセグチューナ部１７がフルセグ放送の電波を受信する。そして、フルセグチューナ部１７は、復調処理を行い、フルセグ放送のＴＳを出力する（ステップＳ１１）。
【００６０】
次に、このＴＳにはコンテンツ保護のためにスクランブルがかかっているので、デスクランブル部１８は、デスクランブル処理を行い平文のＴＳを出力する（ステップＳ１２）。
【００６１】
そして、フルセグデコード部１９は、この平文のＴＳをデコードする処理を行う（ステップＳ１３）。デコード処理では、まずＴＳを映像データ、音声データ、字幕データ、データ放送、ＰＳＩ／ＳＩ（Program Specific Information / Service Information）情報などのデータに分離された後、それぞれのエレメンタリストリーム（ＥＳ）が復号される。これにより、映像ＥＳはＹＵＶデータに変換される。
【００６２】
そして最後に、制御部１１は、映像データを表示部１４に表示させる（ステップＳ１４）。音声ＥＳはＰＣＭ（Pulse Code Modulation）データに変換され、音声出力部２０から出力される。
【００６３】
（切り替え処理の詳細）
図５は、本発明の実施形態１に係る携帯電話端末１のデジタル放送受信処理を示すフローチャートである。このデジタル放送受信処理は、例えば、制御部１１が、記憶部１２に格納されたプログラムに従って、携帯電話端末１の動作を制御することにより実行される。
【００６４】
まず、携帯電話端末１の電源が投入される、もしくは、デジタル放送受信機能が起動されると、初期化処理を行う（ステップＳ１０１）。例えば、携帯電話通信に必要な回路に電源を供給したり、ユーザにデジタル放送受信機能の起動を知らせるアニメーションを表示したり、それまで動作していた他のアプリケーションを終了したりする。
【００６５】
次に、制御部１１は、電源部を制御してフルセグチューナ部１７に電源を供給し、必要な起動パラメータ等を設定し、その機能を有効にする（ステップＳ１０２）。
【００６６】
続いて、制御部１１は、フルセグ放送の受信状態を確認する（ステップＳ１０３）。具体的には、制御部１１は、フルセグチューナ部１７からＢＥＲや受信電波強度等の値を取得する。他にも、パケット誤り率（ＰＥＲ；Packet Error Rate）やＣ／Ｎ比（Carrier to Noise Ratio）などの値でも良い。
【００６７】
そして、制御部１１は、予め決めておいた閾値と比較することでフルセグ放送を受信状態か否かを判定する（ステップＳ１０４）。この閾値は、記憶部１２に格納されたプログラム上の変数であり、記憶部１２にアクセスすることで取得できる値である。なお、携帯電話端末１のハードウェア上のレジスタにセットしておいても良い。
【００６８】
フルセグ放送の受信状態が良好でフルセグ放送受信可能と判断された場合は（ステップＳ１０４；Ｙｅｓ）、制御部１１は、フルセグチューナ部１７が出力するＴＳをデスクランブル処理及びデコード処理を行い、表示部１４に表示する（ステップＳ１０５）。
【００６９】
その後は、ステップＳ１０３に戻ってフルセグ放送の受信状態を継続的に確認する。タイマ処理によって、所定時間毎にフルセグ放送の受信状態を確認しても良い。フルセグ放送の受信状態が良好な間は、継続してフルセグ放送を受信して表示する。
【００７０】
一方、フルセグ放送の受信状態が悪く、フルセグ放送受信不可と判断された場合は（ステップＳ１０４；Ｎｏ）、制御部１１は、フルセグチューナ部１７への電源供給を停止し（ステップＳ１０６）、ワンセグチューナ部１５に電源を供給し、必要な起動パラメータ等を設定し、その機能を有効にする（ステップＳ１０７）。
【００７１】
続いて、ワンセグ放送の受信状態を確認する（ステップＳ１０８）。具体的には、制御部１１は、ワンセグチューナ部１５からＢＥＲや受信電波強度等の値を取得する。
【００７２】
そして、制御部１１は、予め決めておいた閾値と比較することでワンセグ放送を受信状態か否かを判定する（ステップＳ１０９）。
【００７３】
ワンセグ放送の受信状態が良好でワンセグ放送受信可能と判断された場合は（ステップＳ１０９；Ｙｅｓ）、制御部１１は、ワンセグチューナ部１５が出力するＴＳをデコード処理して、表示部１４に表示する（ステップＳ１１０）。
【００７４】
一方、ワンセグ放送の受信状態が悪く、ワンセグ放送受信不可と判断された場合は（ステップＳ１０９；Ｎｏ）、制御部１１は、デジタル放送を受信できない旨を示すメッセージを表示部１４に表示して（ステップＳ１１１）、本フロー処理を終了する。
【００７５】
次に、制御部１１は、ワンセグ放送を受信して、当該放送を表示部１４に表示したら、タイマ部２４を制御してタイマ計測を開始する（ステップＳ１１２）。
【００７６】
そして、制御部１１は、ある時間が経過してタイマが満了したか否かを判定する（ステップＳ１１３）。
【００７７】
制御部１１は、タイマが満了するまで当該判定処理を繰り返す（ステップＳ１１３；Ｎｏ）。
【００７８】
一方、ある時間が経過してタイマが満了したことを検知すると（ステップＳ１１３；Ｙｅｓ）、制御部１１は、位置情報取得部２３を制御して携帯電話端末１の現在位置情報を取得する（ステップＳ１１４）。位置情報取得方法として、例えば、複数のＧＰＳ衛星から送信される信号を受信し、信号の送信時間と受信時間との差からＧＰＳ衛星との距離を算出し、そこから現在位置情報を算出することもできる。また、加速度センサから取得した加速度値を各方向に沿って時間積分することで移動量を算出し、移動後の位置を算出することもできる。
【００７９】
なお、上述のステップＳ１１４の位置情報取得処理は、ＧＰＳ測位や加速度センサを使った測位方法を例として挙げたが、これは後述するステップＳ１１５において所定以上の移動があったか否かを判定するためのものであり、ステップＳ１１５において所定以上の移動があったか否かを判定できれば他の処理方法であっても良い。
【００８０】
例えば、ＧＰＳ測位などの位置測位において、数メートルから数十メートル程度の荒い精度でも良い。また、加速度センサを使うと、静止状態や歩行状態といった運動の激しさを示す状態を識別できるので、静止状態でなければ「所定以上の移動があった」とみなすこともできる。また、加速度センサを使った場合に、移動距離ではなく、所定量以上の移動速度を検出した時に「所定量以上の移動があった」とみなすこともできる。また、携帯電話端末１が移動すると、ワンセグチューナ部１５やフルセグチューナ部１７が受信する信号レベルが徐々に大きくなったり、小さくなったりするので、このことを利用し、受信した信号レベルの変動量が所定レベルよりも大きい場合は「所定以上の移動があった」とみなすこともできる。
【００８１】
また、ワンセグチューナ部１５やフルセグチューナ部１７は、放送局から定期的にパイロット信号を受信するが、端末が静止している間は基本的に時不変である。しかし、携帯電話端末１が高速に移動すると、携帯電話端末１がそのまま静止していればパイロット信号を受信したであろうタイミングと、実際にパイロット信号を受信するタイミングに差が生じる。このことを利用し、ワンセグチューナ部１５やフルセグチューナ部１７がパイロット信号を受信する時間間隔が、時間的にどの程度変動するかを見て、時間変動が所定レベルよりも大きい場合は「所定以上の移動があった」とみなすこともできる。
【００８２】
また、携帯電話端末１が移動した場合、ドップラー効果により、受信する信号の周波数が送信時の周波数よりもずれる。また、本来の信号の中心周波数は、ワンセグチューナ部１５やフルセグチューナ部１７が選局したチャンネルに従って予め決まっている。このことを利用し、ワンセグチューナ部１５やフルセグチューナ部１７が受信した信号の中心周波数と、本来の信号の中心周波数との差を見て、その差が所定レベルよりも大きい場合は「所定以上の移動があった」とみなすこともできる。
【００８３】
次に、制御部１１は、現在位置情報を取得したら、前回の位置情報との差分と、予め決めておいた閾値と比較することで所定以上の距離の移動があったかを判定する（ステップＳ１１５）。
【００８４】
所定以上の移動がなかった場合（ステップＳ１１５；Ｎｏ）には、制御部１１は、ステップＳ１１０で行ったワンセグ放送表示を継続しつつ、ステップＳ１１２のタイマ計測開始処理に戻る。
【００８５】
一方、所定以上の移動があった場合（ステップＳ１１５；Ｙｅｓ）、制御部１１は、フルセグチューナ部１７に電源を供給し、必要な起動パラメータ等を設定し、その機能を有効にする（ステップＳ１１６）。
【００８６】
続いて、制御部１１は、フルセグ放送の受信状態を確認する（ステップＳ１１７）。
【００８７】
そして、制御部１１は、予め決めておいた閾値と比較することでフルセグ放送を受信状態か否かを判定する（ステップＳ１１８）。
なお、ステップＳ１１６〜ステップＳ１１８の処理は、ステップＳ１０２〜ステップＳ１０４と同様の処理である。
【００８８】
フルセグ放送の受信状態が良好でフルセグ放送受信可能と判断された場合は（ステップＳ１１８；Ｙｅｓ）、制御部１１は、ワンセグチューナ部１５への電源供給を停止する（ステップＳ１１９）。
【００８９】
制御部１１は、フルセグチューナ部１７が出力するＴＳをデスクランブル処理及びデコード処理を行い、表示部１４に表示する（ステップＳ１２０）。
なお、ステップＳ１２０は、ステップＳ１０５と同様の処理であり、処理後にステップＳ１０３に戻ってフルセグ放送の受信状態を継続的に確認する点も同様である。
【００９０】
一方、フルセグ放送の受信状態が悪く、フルセグ放送受信不可と判断された場合は（ステップＳ１１８；Ｎｏ）、制御部１１は、フルセグチューナ部１７への電源供給を停止する（ステップＳ１２１）。ステップＳ１１０で行ったワンセグ放送表示を継続しつつ、ステップＳ１１２のタイマ計測開始処理に戻る。
【００９１】
以上のように、フルセグ放送の受信状況確認処理を間欠的に行うことで、携帯電話端末１の消費電力を低く抑えつつ、ワンセグ放送受信からフルセグ放送受信に自動的に切り替えることができる。特に、一般にはＧＰＳ受信用ＬＳＩや加速度センサの消費電力はフルセグチューナＬＳＩの消費電力よりも低いため、ステップＳ１１５の判定により、所定以上の移動があったことを検出した時だけフルセグチューナ部１７を起動し、所定以上の移動がなかった時はフルセグチューナ部１７を起動しないことで、省電力化を実現できる。
【００９２】
一方で、フルセグチューナ部１７によるフルセグ放送の受信状況確認処理を実行する機会が減るが、ステップＳ１１５の判定により、所定以上の移動がなかった時は、前回の位置測位時からフルセグ放送の受信状況が本質的には変化しないと推測できるため、フルセグチューナ部１７によるフルセグ放送の受信状況確認処理を実行しないためにワンセグ放送受信からフルセグ放送受信へ自動的に切り替えるタイミングが遅れるといった問題はほとんど発生しない。以上の結果、テレビ視聴時間が延び、ユーザの使い勝手が向上する。
【００９３】
（実施形態２）
次に、本発明の実施形態２について、図６のフローチャートを参照して説明する。
【００９４】
なお、実施形態２に係る携帯電話端末１の機能構成は図１と同様である。
また、ステップＳ１１０〜ステップＳ１２１までの処理と、図示していないステップＳ１１０に至るまでの処理は、図５中の同番号の処理と同様である。
【００９５】
実施形態２では、携帯電話端末１が移動した大きさに応じてタイマ値を変えることにより、移動が小さい時はさらに消費電力を低く抑え、移動が大きい時はワンセグ放送受信からフルセグ放送受信への切り替えタイミングが遅れないようにする。
【００９６】
つまり、実施形態１のステップＳ１１２において使用するタイマ値が、ステップＳ１１５で検出した移動の大きさに応じて変更される。ここで言う移動の大きさとは、例えば、移動距離や、加速度センサを使って算出した運動の激しさを示す値などである。
【００９７】
実施形態１との違いは、ステップＳ１１５及びステップＳ１２１の後、ステップＳ１１２に戻る前に、ステップＳ１１５で判定された携帯電話端末１の移動の大きさに応じてステップＳ１１２で使用するタイマ値を更新する処理（ステップＳ２０１）が追加された点である。
【００９８】
例えば、ステップＳ１１５で判定された移動距離が予め決められた閾値よりも大きい場合は、移動速度が速いため、フルセグ放送の受信状況が短時間で変化する可能性が高いと考え、ステップＳ１１２で使用するタイマ値を小さく設定する。
【００９９】
逆に、ステップＳ１１５で判定された移動距離が予め決められた閾値よりも小さい場合は、移動速度が遅いため、フルセグ放送の受信状況が短時間で変化する可能性が低いと考え、ステップＳ１１２で使用するタイマ値を大きく設定する。運動の激しさを示す値を使う場合も同様である。また、比較に使用する閾値を複数設けて、ステップＳ１１２において使用するタイマ値を複数段階に切り替えるようにしても良い。
【０１００】
これにより、フルセグ放送の受信状況確認処理を間欠的に行うことで、携帯電話端末１の消費電力を低く抑えつつ、ワンセグ放送受信からフルセグ放送受信に自動的に切り替えることができる。
また、フルセグ放送の受信状況確認処理の実施間隔を携帯電話端末１の移動の大きさに応じて変化させることで、移動が小さい時はさらに消費電力を低く抑え、移動が大きい時はワンセグ放送受信からフルセグ放送受信への切り替えタイミングが遅れないようにすることができる。
【０１０１】
（実施形態３）
次に、本発明の実施形態３について、図７のフローチャートを参照して説明する。
【０１０２】
なお、実施形態３に関わる携帯電話端末１の機能構成は図１と同様である。
また、図示していないステップＳ１１０に至るまでの処理とステップＳ１１２以降の処理は、図５中の同番号の処理と同様である。
【０１０３】
実施形態３では、移動量検出処理を行う前に、ワンセグ放送の受信状態が非常に良好であることを確認して、ワンセグ放送の受信状態がそれ程良くなく、同じ場所ではフルセグ放送は良好には受信できないと推測される場合には、移動量検出処理を行わない。
【０１０４】
つまり、実施形態１のステップＳ１１２〜ステップＳ１１５の移動検出処理を行う前に、ワンセグ放送の受信状態が確認されて、ワンセグ放送の受信状態が非常に良好な時にのみステップＳ１１２〜ステップＳ１１５の移動検出処理が行われる。
【０１０５】
実施形態１との違いは、制御部１１は、ワンセグ放送の表示を行った直後から、ワンセグ放送の受信状態を定期的に確認し（ステップＳ３０１）、ワンセグ放送の受信状態が非常に良い状態か否かを判定する（ステップＳ３０２）。例えば、ワンセグ放送のＢＥＲが０であるか否か、さらには、受信電波強度が所定の閾値よりも大きいか否かといった判定を行う。
【０１０６】
ワンセグ放送の受信状態が非常に良い状態であると判定された場合は（ステップＳ３０２；Ｙｅｓ）、フルセグ放送を受信できる可能性があるということで、ステップＳ１１２以降の処理へ移る。なお、ステップＳ３０１でワンセグ放送の受信状態を確認するタイミングは、タイマ処理などで管理しても良い。
【０１０７】
一方、ワンセグ放送の受信状態が非常に良い状態ではないと判定された場合は（ステップＳ３０２；Ｎｏ）、制御部１１は、ワンセグ放送の受信状態を再度確認する（ステップＳ３０１）。
【０１０８】
これにより、フルセグ放送の受信状況確認処理を間欠的に行うことで、携帯電話端末１の消費電力を低く抑えつつ、ワンセグ放送受信からフルセグ放送受信に自動的に切り替えることができる。通常は、ワンセグ放送の復調処理においてＢＥＲが０でない状態では、フルセグ放送を良好に受信することは難しい。また、フルセグ放送受信には、ワンセグ放送受信時に比べて高いＣ／Ｎが必要である。よって、移動量検出処理を行う前に、ワンセグ放送の受信状態が非常に良好であることを確認するので、ワンセグ放送の受信状態がそれ程良くなく、同じ場所ではフルセグ放送は良好には受信できないと推測される場合に移動量検出処理を行わないので、さらに携帯電話端末１の消費電力を低く抑えることができる。
【０１０９】
（実施形態４）
次に、本発明の実施形態４について、図８及び図９のフローチャートを参照して説明する。
【０１１０】
なお、実施形態４に係る携帯電話端末１の機能構成はほぼ図１と同様である。
また、ステップＳ１１２〜ステップＳ１１６までの処理と、図示していないステップＳ１１２に至るまでの処理とステップＳ１１６以降の処理は、図５中の同番号の処理と同様である。
【０１１１】
実施形態１との違いは、記憶部１２に、フルセグ放送受信状態確認履歴情報１２１を保持していることである。フルセグ放送受信状態確認履歴情報１２１のデータ構造の一例を図８に示す。フルセグ放送受信状態確認履歴情報１２１は、位置情報１２１１、フルセグ受信状態確認回数１２１２、フルセグ受信状態の良好検出回数１２１３、フルセグ受信状態の良好検出率１２１４などの要素から成り立つ。
なお、フルセグ放送受信状態確認履歴情報１２１は、ユーザ操作によって初期状態に戻せることが望ましい。
【０１１２】
位置情報１２１１は、フルセグ放送の受信状態確認処理を行った位置やエリアを示す情報であり、緯度経度情報や、ある地点からの距離情報、どの地域に属するかを示すエリア情報などの組み合わせで構成される。
【０１１３】
フルセグ受信状態確認回数１２１２は、位置情報１２１１で示された位置またはエリアで、フルセグ放送の受信状態確認処理を行った回数を表す。
【０１１４】
フルセグ受信状態の良好検出回数１２１３は、位置情報１２１１で示された位置またはエリアで、フルセグ放送の受信状態確認処理を行った結果、フルセグ放送の受信状態が良好であると判定された回数を表す。
【０１１５】
フルセグ受信状態の良好検出率１２１４は、位置情報１２１１で示された位置またはエリアで、フルセグ放送の受信状態確認処理を行った結果、フルセグ放送の受信状態が良好であると判定された割合を表す。
【０１１６】
図９は、本発明の実施形態４に係る携帯電話端末１のデジタル放送受信処理を示すフローチャートである。
【０１１７】
ステップＳ１１４で携帯電話端末１の現在位置情報を取得した後、制御部１１は、記憶部１２からフルセグ放送受信状態確認履歴情報１２１を読み出す（ステップＳ４０１）。
なお、制御部１１は、フルセグ放送の受信状態確認処理等を行った際には、フルセグ放送受信状態確認履歴情報１２１の更新登録を行う。制御部１１は、更新登録されたフルセグ放送受信状態確認履歴情報１２１を記憶部１２から読み出すことにより、最新の履歴情報に基づいて判定を行うことができる。
【０１１８】
次に、制御部１１は、携帯電話端末１の現在位置でフルセグ放送の受信状態が良好だった履歴があるか否かの判定を行う（ステップＳ４０２）。ここでの判定処理の例としては、ステップＳ１１４で取得した現在位置情報と、ステップＳ４０１で読み出したフルセグ放送受信状態確認履歴情報１２１に含まれる位置情報１２１１とを比較して、最も現在位置に近い位置情報１２１１を決定する。
【０１１９】
また、制御部１１は、その位置情報１２１１に対応するフルセグ受信状態の良好検出回数１２１３を読み出し、当該検出回数が所定の閾値以上でるか否かに基づいて、判定することもできる。
さらに、制御部は、フルセグ受信状態の良好検出率１２１４を読み出し、当該検出率が所定の閾値以上であるか否かに基づいて、判定することもできる。  そして、ステップＳ４０２において、所定の閾値以上であればＹｅｓ、所定の閾値未満であればＮｏと判定される。
【０１２０】
現在位置でフルセグ放送の受信状態が良好だった履歴がある、または、履歴が多数あると判定された場合は（ステップＳ４０２；Ｙｅｓ）、ステップＳ１１６以降のフルセグ放送の受信状態確認処理へと進む。
【０１２１】
一方、現在位置でフルセグ放送の受信状態が良好だった履歴がない、または、履歴が少ないと判定された場合は（ステップＳ４０２；Ｎｏ）、ステップＳ１１２の処理へと戻る。
【０１２２】
なお、ステップＳ１１４で取得した現在位置情報に対応する履歴情報そのものがフルセグ放送受信状態確認履歴情報１２１に含まれない場合は、ステップＳ１１６以降のフルセグ放送の受信状態確認処理へと進む。
【０１２３】
また、過去にフルセグ放送の受信状態を確認した結果の履歴を使って、現在地周辺でフルセグ放送の受信状態が悪かった記録がある場合は、あらためてフルセグ放送の受信状態確認処理を行わないこともできる。
【０１２４】
これにより、過去にフルセグ放送を良好に受信できなかったという履歴情報を使うことで、フルセグ放送を良好に受信できない可能性が高い場所でフルセグ放送の受信状態確認を行わないので、フルセグ放送の受信状況確認処理が間欠的に行われることになり、携帯電話端末１の消費電力を低く抑えつつ、ワンセグ放送受信からフルセグ放送受信に自動的に切り替えることができる。
【０１２５】
なお、過去にフルセグ放送を良好に受信できなかったという履歴がある場所でも、送信設備の変更などで電波状況が変わる可能性もあるので、数回に一回は受信状態確認を行うようにしても良い。これにより、ユーザの利便性が向上する。
【０１２６】
（実施形態５）
次に、本発明の実施形態５について、図１０のフローチャートを参照して説明する。
【０１２７】
なお、実施形態５に係る携帯電話端末１の機能構成はほぼ図１と同様である。
また、ステップＳ１１２〜ステップＳ１１６までの処理と、図示していないステップＳ１１２に至るまでの処理とステップＳ１１６以降の処理は、図５中の同番号の処理と同様である。
【０１２８】
実施形態１との違いは、ステップＳ１１３でタイマが満了したら、制御部１１は、まず、屋内外の検出処理を行う（ステップＳ５０１）。例えば、位置情報取得部２３が取得した現在位置情報と、別途記憶部１２に保持しておいた地図情報とを照合することで、現在地が建物内かどうかを検出することができる。また、ＧＰＳ衛星を使って位置測位を行う場合、通信できたＧＰＳ衛生の数などから測定結果の精度を知ることができるので、測定結果の精度が予め決められた所定のレベルよりも低い場合は、ＧＰＳ衛星を良好に見渡すことのできない屋内にいるとし、そうでない場合は屋外にいると検出できる。
【０１２９】
屋外にいると判定された場合は（ステップＳ５０２；Ｙｅｓ）、ステップＳ１１６以降のフルセグ放送の受信状態確認処理へと進む。
【０１３０】
一方、屋内にいると判定された場合は（ステップＳ５０２；Ｎｏ）、ステップＳ１１２の処理へと戻る。
【０１３１】
また、実施形態１のステップＳ１１４、ステップＳ１１５の移動判定処理の代わりに、現在位置が屋内か屋外かの判定処理を行い、屋内の場合は、フルセグ放送を受信できる可能性が低いとしてフルセグ放送の受信状態確認処理を行わないこともできる。
【０１３２】
これにより、屋内にいると判定された時は、フルセグ放送を良好に受信できない可能性が高いとしてフルセグ放送の受信状態確認を行わないので、フルセグ放送の受信状況確認処理が間欠的に行われることになり、携帯電話端末１の消費電力を低く抑えつつ、ワンセグ放送受信からフルセグ放送受信に自動的に切り替えることができる。
【０１３３】
なお、屋内であっても、自宅の場合は、携帯電話端末１をすぐに充電することが可能なので、消費電力を気にせずにフルセグ放送の受信を試みたいというニーズが考えられる。その場合は、ＧＰＳ衛星を使った位置測位の精度に基づいて屋内であると判定された場合であっても、別途、現在地が自宅などの予め登録しておいた場所であると判定された場合は、例外的に、フルセグ放送の受信状態確認を行うこともできる。これにより、ユーザの使い勝手が向上する。
【０１３４】
（実施形態６）
次に、本発明の実施形態６について、図１１及び図１２のフローチャートを参照して説明する。
【０１３５】
実施形態６に係る携帯電話端末１の機能構成を図１１に示す。実施形態１との違いは、近距離通信部２６を備える点である。
【０１３６】
近距離通信部２６は、例えば、無線ＬＡＮやＰＨＳ、フェムトセルで構成される通信方式で、無線通信基地局を介して、通話音声、各種のデータ、等を送受信する。
【０１３７】
図１２は、本発明の実施形態６に係る携帯電話端末１のデジタル放送受信処理を示すフローチャートである。
図示していないステップＳ１１２に至るまでの処理と、ステップＳ１１６以降の処理は、図５中の同番号の処理と同様である。
【０１３８】
実施形態１との違いは、ワンセグ放送の表示を行った直後から、制御部１１は、待受無線通信基地局が変更されたか否かを検出する（ステップＳ６０１）。
【０１３９】
待受無線通信基地局が変更されない場合（ステップＳ６０１；Ｎｏ）、制御部１１は、ワンセグ放送の表示を継続する（ステップＳ１１２）。
【０１４０】
一方、待受無線通信基地局が変更された場合（ステップＳ６０１；Ｙｅｓ）、ステップＳ１１６以降のフルセグ放送の受信状態確認処理へと進む。
【０１４１】
なお、待受無線通信基地局が変更されたか否かは、制御部１１が近距離通信部２６を制御することにより検出される。近距離通信部２６は、携帯電話端末１が移動するなどして、より良好に通信可能な無線通信基地局を発見すると、その無線通信基地局に対して待受処理を行う。ここで言う待受処理とは、無線通信基地局が送信するパイロット信号やビーコン信号を検出し、同期を取ったり、無線通信基地局が送信する制御メッセージを理解したりし、位置登録処理や認証処理が完了した状態のことである。一連の待受処理の中で、無線通信基地局を特定する情報が変わったことが分かるので、それにより待受無線通信基地局が変更されたと認識する。
【０１４２】
また、無線ＬＡＮなどの近距離通信や携帯電話通信において、待受無線通信基地局が変わったか否かの判定処理を行い、変化があった場合に、所定以上の移動があったとみなして、フルセグ放送の受信状態確認処理を行うこともできる。
【０１４３】
これにより、近距離通信の待受無線通信基地局が変化しない間は、携帯電話端末１はあまり移動しておらず、前回からフルセグ放送の受信状況が本質的には変化しないと推測し、フルセグ放送の受信状態確認を行わないので、フルセグ放送の受信状況確認処理が間欠的に行われることになり、携帯電話端末１の消費電力を低く抑えつつ、ワンセグ放送受信からフルセグ放送受信に自動的に切り替えることができる。
【０１４４】
なお、近距離通信部２６を介して待受無線通信基地局の変化を検出するとしたが、通信部２２を介して待受無線通信基地局の変化を検出しても良い。また、待受無線通信基地局の変化でなく、待受無線通信基地局から受信する信号の受信状態の変化を検出して、移動があったと判定しても良い。いずれの場合も、携帯電話端末１の消費電力を低く抑えつつ、ワンセグ放送受信からフルセグ放送受信に自動的に切り替えることができる。
【０１４５】
（実施形態７）
次に、本発明の実施形態７について、図１３のフローチャートを参照して説明する。
【０１４６】
これまでの実施形態は、ワンセグ放送受信からフルセグ放送受信に切り替える動作に関するものであった。逆に、フルセグ放送受信からワンセグ放送受信に切り替える動作に関しては、図５のステップＳ１０５（ステップＳ１２０）からステップＳ１０３に戻る手順以外が考えられる。実施形態７は、フルセグ放送受信時に定期的に移動検出処理を行い、所定以上の移動を検出したら、ワンセグ放送受信に切り替えるものである。
【０１４７】
なお、実施形態７に係る携帯電話端末１の機能構成は図１と同様である。
また、ステップＳ１０５、及びステップＳ１０６の処理と、図示していないステップＳ１０５に至るまでの処理とステップＳ１０６以降の処理は、図５中の同番号の処理と同様である。
【０１４８】
実施形態１との違いは、ステップＳ１０５でフルセグ放送を表示中に、制御部１１は、タイマ部２４を制御してタイマ計測を開始する（ステップＳ７０１）。
【０１４９】
そして、制御部１１は、ある時間が経過してタイマが満了したか否かを判定する（ステップＳ７０２）。
【０１５０】
制御部１１は、タイマが満了するまで当該判定処理を繰り返す（ステップＳ７０２；Ｎｏ）。
【０１５１】
一方、ある時間が経過してタイマが満了したことを検知すると（ステップＳ７０２；Ｙｅｓ）、制御部１１は、位置情報取得部２３を制御して携帯電話端末１の現在位置情報を取得する（ステップＳ７０３）。
【０１５２】
現在位置情報を取得したら、制御部１１は、前回の位置情報との差分と、予め決めておいた閾値と、を比較することで所定以上の距離の移動があったかを判定する（ステップＳ７０４）。
【０１５３】
なお、ステップＳ７０１〜ステップＳ７０４の処理は、図５のステップＳ１１２〜ステップＳ１１５と同様の処理である。
【０１５４】
所定以上の移動がなかった場合（ステップＳ７０４；Ｎｏ）には、ステップＳ１０５で行ったフルセグ放送表示を継続しつつ、ステップＳ７０１のタイマ計測開始処理に戻る。
【０１５５】
一方、所定以上の移動があった場合（ステップＳ７０４；Ｙｅｓ）、ステップＳ１０６以降のワンセグ放送受信処理へと進む。
【０１５６】
一般的に、高速移動中は静止時に比べてフルセグ放送を良好に受信しづらい。一方、ワンセグ放送はフルセグ放送に比べて移動時であっても良好に受信することが可能である。そのため、本実施形態のように、フルセグ放送受信中に所定量以上の移動があったことを検出した時点で、フルセグ放送をすぐに受信できなくなると予想し、ワンセグ放送受信に自動的に切り替えることで、継続的にデジタル放送を受信することができ、ユーザの使い勝手が向上する。
【０１５７】
なお、ステップＳ７０３の位置情報取得処理は、ステップＳ７０４において所定以上の移動があったか否かを判定するためのものであり、ステップＳ７０４において所定以上の移動があったか否かを判定できれば他の処理方法であっても良い点は、実施形態１のステップＳ１１４と同様である。
【０１５８】
また、ステップＳ７０３の位置情報取得処理の代わりに、実施形態５で説明したように、屋内外検出処理を行い、屋内であると判定された場合に、ワンセグ放送受信に切り替えることもできる。これにより、ユーザの利便性が向上する。
【０１５９】
以上説明したように、強階層受信中に、弱階層用のチューナや復調処理部を間欠的に動作させて弱階層の受信状態を効率良く監視することで、消費電力を抑えながら強階層受信から弱階層受信へ切り替えを行うことができる。また、消費電力を抑えながら弱階層受信から強階層受信へ切り替えを行うこともできる。
【０１６０】
なお、上記実施形態に係る携帯電話端末１により実行されるデジタル放送受信処理は、コンピュータによって実現することもできる。
【０１６１】
例えば、上記実施形態において携帯電話端末１の記憶部１２等に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理を実行する装置を構成することができる。
【０１６２】
また、プログラムをインターネット等の通信ネットワーク上の所定のサーバ装置が有するディスク装置等に格納しておき、例えば、搬送波に重畳させて、コンピュータにダウンロード等するようにしても良い。
【０１６３】
また、通信ネットワークを介してプログラムを転送しながら起動実行することによっても、上述の処理を達成することができる。
更に、プログラムの全部又は一部をサーバ装置上で実行させ、その処理に関する情報をコンピュータが通信ネットワークを介して送受信しながらプログラムを実行することによっても、上述の処理を達成することができる。
【０１６４】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等しても良い。
【図面の簡単な説明】
【０１６５】
【図１】実施形態１に係る携帯電話端末の機能構成を示す図である。
【図２】ワンセグチューナ部の構成を示す図である。
【図３】ＢＥＲ値の時間変化をプロットしたグラフを示す図である。
【図４】フルセグ映像出力処理を説明するフローチャートである。
【図５】実施形態１に係るデジタル放送受信処理を説明するフローチャートである。
【図６】実施形態２に係るデジタル放送受信処理を説明するフローチャートの一部である。
【図７】実施形態３に係るデジタル放送受信処理を説明するフローチャートの一部である。
【図８】フルセグ放送受信状態確認履歴情報のデータ構造の一例を示す図である。
【図９】実施形態４に係るデジタル放送受信処理を説明するフローチャートの一部である。
【図１０】実施形態５に係るデジタル放送受信処理を説明するフローチャートの一部である。
【図１１】実施形態６に係る携帯電話端末の機能構成を示す図である。
【図１２】実施形態６に係るデジタル放送受信処理を説明するフローチャートの一部である。
【図１３】実施形態７に係るデジタル放送受信処理を説明するフローチャートの一部である。
【符号の説明】
【０１６６】
１…携帯電話端末、１１…制御部、１２…記憶部、１３…操作部、１４…表示部、１５…ワンセグチューナ部、１６…ワンセグデコード部、１７…フルセグチューナ部、１８…デスクランブル部、１９…フルセグデコード部、２０…音声出力部、２１…音声入力部、２２…通信部、２３…位置情報取得部、２４…タイマ部、２５…バス、２６…近距離通信部
【図１】
2010141713.tif 000003
【図２】
2010141713.tif 000004
【図３】
2010141713.tif 000005
【図４】
2010141713.tif 000006
【図５】
2010141713.tif 000007
【図６】
2010141713.tif 000008
【図７】
2010141713.tif 000009
【図８】
2010141713.tif 000010
【図９】
2010141713.tif 000011
【図１０】
2010141713.tif 000012
【図１１】
2010141713.tif 000013
【図１２】
2010141713.tif 000014
【図１３】
2010141713.tif 000015